(57)【要約】【課題】缶体内部を効率的に乾燥することができる乾燥装置を提供する。【解決手段】有底筒状に形成された缶体１０４を搬送する搬送部１０２と、前記缶体１０４の上部開口１０５に向かって気体を吐出するスリット状の吐出口１５を有するノズル１１とを備え、前記吐出口１５の長手方向が搬送方向と平行であることを特徴とする。【選択図】図２
2019194518.tif 000002
【特許請求の範囲】
【請求項１】
有底筒状に形成された缶体を搬送する搬送部と、
前記缶体の上部開口に向かって気体を吐出するスリット状の吐出口を有するノズルと
を備え、
前記吐出口の長手方向が搬送方向と平行である
ことを特徴とする乾燥装置。
【請求項２】
前記吐出口は、前記缶体の中心から前記搬送部の幅方向にずれた位置に配置されていることを特徴とする請求項１に記載の乾燥装置。
【請求項３】
前記吐出口の幅方向の中心と前記缶体の中心の間の距離をＤ、前記缶体の半径をｒとした場合、前記吐出口は（ｒ／３）≦Ｄ＜ｒの範囲内に配置されていることを特徴とする請求項１又は２に記載の乾燥装置。
【請求項４】
前記缶体の中心を挟んで前記吐出口が配置された側と反対側に、前記気体を吸引する吸引口が設けられていることを特徴とする請求項２又は３に記載の乾燥装置。
【請求項５】
前記搬送部は、前記缶体を搬送方向に一列に整列させる整列機構を有することを特徴とする請求項１〜４のいずれか１項に記載の乾燥装置。
【請求項６】
前記ノズルは、所定の間隔を開けて対向して配置された一対のノズル壁と、前記ノズル壁の先端に前記吐出口を備え、前記ノズル壁の先端側に互いのノズル壁に向かって突出した複数の突起を有することを特徴とする請求項１〜５のいずれか１項に記載の乾燥装置。
【発明の詳細な説明】
【技術分野】
【０００１】
本発明は、乾燥装置に関し、特に有底筒状の缶体を乾燥する装置に適用するものに関する。
【背景技術】
【０００２】
有底筒状の缶体を乾燥するインサイド・ベーク・オーブン（以下、ＩＢＯという）は、樹脂製又はステンレススチール製コンベアネットで缶体を一定量まとめて搬送して加熱処理するトンネルタイプオーブンである。例えば図１４に示すＩＢＯ１００のように、３つの領域（１０６，１０８，１１０）に分かれて加熱するタイプが主流である。前工程のインサイド・スプレーマシンで缶体内面に熱硬化性樹脂塗料が塗装された缶体１０４が、上部開口を上向きとした状態（以下、正置という）でＩＢＯ１００に搬送される。
【０００３】
ＩＢＯ１００では、コンベアネット１０２上に正置された缶体１０４が平面視において千鳥状のパターンを形成し、予熱帯１０６、昇温帯１０８、保持帯１１０、冷却帯１１４の各領域を通過する。予熱帯１０６では、１００℃程度で水、溶剤を蒸発させる。昇温帯１０８では、所定の温度に缶体１０４を到達させる。保持帯１１０では、樹脂を架橋反応させて分子構造を密にし、要求性能を満たす塗膜を形成する。要求性能を満たす塗膜を形成するために、例えば１９０℃×６０ｓｅｃを確保する必要がある。保持帯１１０からエアシール１１２を経て、冷却帯１１４で缶温２００℃近傍から冷却されて、次の工程へ搬送される。
【０００４】
ＩＢＯ１００の各領域には、コンベアネット１０２上に正置された缶体１０４の上方の所定位置に、ノズル本体１１６が設けられている。ノズル本体１１６は、缶体１０４を乾燥させるための気体を缶体１０４の縦方向に平行に吐出するスリットノズル１１７を備える。スリットノズル１１７は、缶体１０４の搬送方向に直交する方向、すなわちコンベアネット１０２の幅方向を長手方向とするスリット状の吐出口を有する。吐出口は、所定の幅（例えば３〜７ｍｍ）を有し、一定間隔（例えば７５〜９０ｍｍ等）で搬送方向に複数配置されている。スリットノズル１１７から吐出される気体は、レイノルズ数（以下、「Ｒｅ数」）２０００程度（吐出口で１２〜１６ｍ／ｓ）である。以上のように缶体１０４を乾燥する際、スリットノズル１１７が配備されているエリアにおいては、スリットノズル１１７から吐出される気体を缶内に吹き込ませる衝突噴流が、また、スリットノズル１１７が配備されていないエリアにおいては、自然対流熱伝達が採用されている。
【０００５】
ＩＢＯ１００は、熱風循環式により、図示しないが、気体として外気を吸気しバーナー加熱された熱風を、循環ファンにより循環させている。上記熱風は、上部の吹出ノズル１１８から吹出され、吹出ノズル１１８直後のパンチングプレート１２０と、スリットノズル１１７直前のパンチングプレート１２２を順に通過することによって、各領域の全体に分散、均圧化される。このようにしてスリットノズル１１７からは、均一な流速の熱風が吹き出る。
【０００６】
上記スリットノズルとして、特許文献１には、一対の波板を、互いの山部及び谷部が直交するように、離間して配置された渦流発生装置が開示されている。上記特許文献１によると、渦流発生装置によって生じた乱流状態にある空気が缶体に到達すると、缶体の周囲の気流の流れを乱し、缶体の表面に付着した水分を効率よく乾燥することができる。
【先行技術文献】
【特許文献】
【０００７】
【特許文献１】特開平３−９５３８５号公報
【発明の概要】
【発明が解決しようとする課題】
【０００８】
しかしながら上記特許文献１のスリットノズルは、吐出口の長手方向が、搬送方向と直交する方向に配置されているため、スリットノズルからの衝突噴流が間欠的に缶内に吹き込むような構成となっている。スリットノズルの間隔が缶外径より大きい場合、自然対流のみの熱伝達になるエリア（時間）があるので、常時衝突噴流が流れ込む系よりも乾燥効率が低くなる。また、スリットノズルの間隔が缶外径より小さい場合、二つの衝突噴流が流れ込むエリアがあることで、缶内流れが不安定になり、エネルギー消費量が増え、初期設備費用もかさむことが推定される。
【０００９】
本発明は、缶体内部を効率的に乾燥することができる乾燥装置を提供することを目的とする。
【課題を解決するための手段】
【００１０】
本発明に係る乾燥装置は、有底筒状に形成された缶体を搬送する搬送部と、前記缶体の上部開口に向かって気体を吐出するスリット状の吐出口を有するノズルとを備え、前記吐出口の長手方向が搬送方向と平行であることを特徴とする。
【００１１】
本発明に係る乾燥装置において、前記吐出口は、前記缶体の中心から前記搬送部の幅方向にずれた位置に配置されていることを特徴とする。
【００１２】
本発明に係る乾燥装置において、前記吐出口の幅方向の中心と前記缶体の中心の間の距離をＤ、前記缶体の半径をｒとした場合、前記吐出口は（ｒ／３）≦Ｄ＜ｒの範囲内に配置されているのが好ましい。
【００１３】
本発明に係る乾燥装置において、前記缶体の中心を挟んで前記吐出口が配置された側と反対側に、前記気体を吸引する吸引口が設けられているのが好ましい。
【００１４】
本発明に係る乾燥装置において、前記搬送部は、前記缶体を搬送方向に一列に整列させる整列機構を有するのが好ましい。
【００１５】
本発明に係る乾燥装置において、前記ノズルは、所定の間隔を開けて対向して配置された一対のノズル壁と、前記ノズル壁の先端に前記吐出口を備え、前記ノズル壁の先端側に互いのノズル壁に向かって突出した複数の突起を有するのが好ましい。
【発明の効果】
【００１６】
本発明によれば、吐出口の長手方向が、搬送方向と平行に配置されているので、缶体の上部開口が熱風に継続的に曝されるため、缶体内部を効率的に乾燥することができる。
【図面の簡単な説明】
【００１７】
【図１】本実施形態の乾燥装置の全体構成を示す模式図である。
【図２】本実施形態の乾燥装置に用いられるノズルの斜視図である。
【図３】上記ノズルの平面図である。
【図４】上記ノズルの作用の説明に供する断面図である。
【図５】上記ノズルの変形例を示す斜視図である。
【図６】実験装置の構成を模式的に示す斜視図である。
【図７】実験装置の部分拡大図である。
【図８】実施形態のノズルを通過した気体を撮影した可視化画像であり、図８Ａはノズルが缶体の左側面付近、図８Ｂはノズルが缶体の中央左寄り、図８Ｃはノズルが缶体の中央右寄り、図８Ｄはノズルが缶体の右側面にある場合の、可視化画像である。
【図９】図８の各図に対応した缶体とノズルの位置を示す平面図であり、図９Ａはノズルが缶体の左側面のＤ＝ｒの位置、図９Ｂはノズルが缶体の中央左寄りのＤ＝（ｒ／３）の位置、図９Ｃはノズルが缶体の中央右寄りＤ＝（ｒ／３）の位置、図９Ｄはノズルが缶体の右側面のＤ＝ｒの位置の平面図である。
【図１０】ノズルの位置がＤ＝０の場合の缶体の温度変化を示すグラフである。
【図１１】ノズルの位置がＤ＝（４ｒ／５）の場合の缶体の温度変化を示すグラフである。
【図１２】温度及び速度のコンター図である。
【図１３】ノズルの位置と、缶体の温度差との関係を示すグラフである。
【図１４】従来の乾燥装置の全体構成を示す模式図である。
【発明を実施するための形態】
【００１８】
以下、図面を参照して本発明の実施形態について詳細に説明する。
【００１９】
本実施形態に係る乾燥装置１について図１を参照して説明する。有底筒状の缶体１０４を乾燥する乾燥装置１は、樹脂製またはステンレススチール製のコンベアネット１０２で缶体１０４を一定量まとめて搬送して加熱処理するトンネルタイプオーブンである。乾燥装置１は、３つの領域に分かれて加熱する。前工程のインサイド・スプレーマシンで缶体内面に熱硬化性樹脂塗料が塗装された缶体１０４が、上部開口１０５が上向きである正置した状態で乾燥装置１に搬送される。
【００２０】
乾燥装置１は、上流から、昇温帯１０８、保持帯１１０、冷却帯１１４が搬送方向に沿って順に設けられている。そして、必要に応じ昇温帯１０８の前方に予熱帯１０６が設けられる。搬送部としてのコンベアネット１０２上に正置された缶体１０４は、平面視において格子状に配置され、予熱帯１０６、昇温帯１０８、保持帯１１０、冷却帯１１４の各領域を通過する。予熱帯１０６では、１００℃以下で水、溶剤を蒸発させる。昇温帯１０８では、所定の温度に缶体１０４を到達させる。保持帯１１０では、樹脂を架橋反応させて分子構造を密にし、要求性能を満たす塗膜を形成する。要求性能を満たす塗膜を形成するために、例えば１９０℃×６０ｓｅｃを確保する必要がある。保持帯１１０からエアシール１１２を経て、冷却帯１１４で缶温２００℃近傍から冷却されて、次の工程へ搬送される。
【００２１】
乾燥装置１の各領域には、コンベアネット１０２上に正置された缶体１０４の上方の所定位置に、ノズル本体１０Ａがそれぞれ設けられている。ノズル本体１０Ａは、缶体１０４の縦方向に平行に気体を吐出するノズル（後述する）を備える。本明細書において平行とは、完全に平行である状態に限定されず、完全に平行な状態からわずかに傾いた状態を含む。
【００２２】
乾燥装置１は、熱風循環式により、図示しないが、缶体１０４を乾燥する気体として外気を吸気し、１００℃〜２５５℃程度にバーナー加熱された熱風を、循環ファンにより循環させている。上記熱風は、上部の吹出ノズル１１８から吹出され、吹出ノズル１１８直後のパンチングプレート１２０と、ノズル１１直前のパンチングプレート１２２を順に通過することによって、各領域の全体に分散、均圧化される。このようにしてノズルからは、均一な流速の熱風が吹き出る。なお、乾燥装置１の基本的な構成は、図１に示した例に限定されるものではなく、いわゆる衝突噴流を用いる他の形態にも適用できる。
【００２３】
図２に示すように、ノズル本体１０Ａは、ノズル１１が設けられている。ノズル１１は、図２の場合１つを図示しているが、実際はコンベアネット１０２の幅方向に、所定の間隔をあけて、複数設けられている。ノズル１１は、所定の間隔（例えば３〜７ｍｍ）を開けて対向して配置された一対のノズル壁１２，１４を備える。図２において、搬送方向はｘ方向、搬送部としてのコンベアネット１０２の幅方向はｙ方向、コンベアネット表面に垂直な方向はｚ方向とする。
【００２４】
ノズル１１は、パンチングプレート１２２（図１）を通過した熱風を一方向へ導く流路を有する。当該流路は、ノズル壁１２，１４の間に形成された扁平形状である。一方向は、熱風の吐出方向である。図２の場合、一方向は、図中矢印方向（ｚ方向）であり、上部開口１０５を上向きとして正置された有底筒状の缶体１０４の中心軸に平行な方向である。ノズル１１の一方向の長さは、適宜選択することができる。
【００２５】
本実施形態の場合、ノズル壁１２，１４は、所定の間隔を開けて配置された一対の平板で形成されている。ノズル壁１２，１４同士は、基端において天板１３に一体化されている。ノズル本体１０Ａは、天板１３を挟んでノズル１１が形成されている。ノズル１１の基端は、パンチングプレート１２２を通過した熱風の入口である。
【００２６】
缶体１０４は、搬送方向に一列に整列した状態で搬送される。乾燥装置１は、コンベアネット１０２の上流側に、缶体１０４を搬送方向に一列に整列させる整列機構（図示しない）を有するのが好ましい。整列機構を有することにより、乾燥装置１の上流の工程から平面視において千鳥状に配置された状態で搬送されてくる缶体１０４を、一列に整列させることができる。
【００２７】
ノズル１１の先端は、缶体１０４の上部開口１０５に向かって熱風を吐出する、熱風の出口である吐出口１５が設けられている。吐出口１５は、スリット状の開口を有する。ノズル１１は、吐出口１５の長手方向を搬送方向（ｘ方向）と平行、すなわちコンベアネット１０２の長手方向に対して平行に配置されている。吐出口１５の幅方向の長さは、缶体１０４の半径より短い。ノズル１１の入口と吐出口１５を結ぶ流路は、一方向から見て扁平形状である。当該流路の開口面積は、吐出口１５の直前まで一定であるのが好ましい。図２の場合、流路および吐出口１５は、一方向から見た形状が長方形状である。ノズル１１から吐出される熱風は、所定のＲｅ数、例えば、２０００程度（吐出口で１２〜１６ｍ／ｓ）である。以上のように缶の乾燥においては、ノズル１１から吐出される熱風を缶体１０４に吹き込ませる、いわゆる衝突噴流が採用されている。
【００２８】
図３に示すように、前記吐出口１５は、缶体１０４の中心からコンベアネット１０２の幅方向にずれた位置に配置されているのが好ましい。缶体１０４の中心とは、中心軸方向から見たときの円形状の缶体１０４の中心をいう。吐出口１５の位置は、缶体１０４の中心を含まず、缶体１０４の中心を通るｙ方向の直線と缶体胴部の交点までの範囲で選択することができる。図３の場合、吐出口１５は、缶体１０４の中心からコンベアネット１０２の幅方向（ｙ方向）左側にずれた位置に配置されている。
【００２９】
吐出口１５の幅方向の中心と、缶体１０４の中心の間の距離をＤ、前記缶体１０４の半径をｒとした場合、吐出口１５は、コンベアネット１０２の幅方向（ｙ方向）であって（ｒ／３）≦Ｄ≦（２ｒ／３）の範囲に配置されるのが好ましい。吐出口１５が上記範囲内に配置されていることにより、吐出口１５から吐出された熱風は、大半が缶体１０４内へ送り込まれ、後述するコアンダ効果によって、缶体１０４の胴部内面に沿って直進し、缶体１０４の内部へ容易に進入することができる。
【００３０】
なお、図３では、吐出口１５は、缶体１０４の中心からコンベアネット１０２の幅方向（ｙ方向）左側にずれた位置に配置されている場合について説明したが、幅方向（ｙ方向）右側にずれていてもよいことはもちろんである。
【００３１】
吐出口１５は、（ｒ／３）≦Ｄ＜ｒの範囲に配置されるのが好ましい。吐出口１５は、（ｒ／３）≦Ｄ＜ｒの範囲に配置されることによって、缶体１０４内に進入した熱風が、後述するコアンダ効果によって、胴部内面に沿ってより確実に直進するので、缶体１０４の全体をより均一に加熱することができる。吐出口１５は、（３ｒ／５）≦Ｄ＜ｒの範囲に配置されるのが、より好ましい。
【００３２】
乾燥装置１は、吐出口１５に対し缶体１０４の中心を挟んで反対側に、吸引口２１を設けてもよい。吸引口２１は、図示しないが、配管を通じて循環ファンに接続される。吸引口２１は、吐出口１５と同様、スリット状の開口を有し、長手方向がコンベアネット１０２の長手方向と平行となるように配置されている。吸引口２１と缶体１０４の中心の間の距離は、上記Ｄと同じでもよいし、異なっていてもよく、適宜選択することができる。
【００３３】
次に、乾燥装置１の作用及び効果について説明する。乾燥装置１では、コンベアネット１０２上を搬送方向に一列に整列した状態で缶体１０４が搬送される。缶体１０４は、コンベアネット１０２の幅方向に複数列配列され、全体として格子状に配列される。上方の所定位置に配置された吐出口１５から缶体１０４の上部開口１０５に向かって熱風が吐出される。吐出口１５の長手方向が、搬送方向と平行に配置されているので、缶体１０４の上部開口１０５が熱風に継続的に曝されるため、缶体内部を効率的に乾燥することができる。
【００３４】
吐出口１５から吐出された熱風は、図４に示すように、吐出口１５が缶体１０４の中心から幅方向（ｙ方向）にずれた位置に配置されていることにより、缶体１０４の胴部内面に沿って直進し、缶体１０４の内部へ容易に進入することができる。缶体１０４の内部へ進入した熱風は、一部が吐出口１５の長手方向に平行な方向を軸とする横渦となって缶体１０４中心部へそれながら、残部がコアンダ効果によって缶体１０４内面に沿って、缶体底部に到達する。缶体底部に到達した熱風は、反対側の胴部内面に沿って上昇する。
【００３５】
本実施形態に係る乾燥装置１は、熱風を缶体１０４の内部へ容易に進入させることができるので、缶体１０４の内面を効率的に乾燥することができる。吐出口１５を（ｒ／３）≦Ｄ≦（２ｒ／３）の範囲に配置することにより、吐出口１５から吐出された熱風をより確実に缶体１０４の内部へ容易に進入させることができる。
【００３６】
乾燥装置１は、吐出口１５を（ｒ／３）≦Ｄ＜ｒの範囲に配置することによって、缶体１０４の全体をより均一に加熱することができる。吐出口１５は、（３ｒ／５）≦Ｄ＜ｒの範囲に配置されることによって、缶体１０４における温度差をより低減することができる。
【００３７】
缶体１０４は、長手方向が搬送方向に平行に配置された吐出口１５の下を、缶体１０４が搬送方向に一列に整列した状態で搬送される。乾燥装置１は、缶体１０４に進入する熱風の流量が一定であるため、缶体１０４が継続的に熱風に曝されるため効率的に乾燥することができる。
【００３８】
上記のようにノズル１１を配置することにより、缶体１０４の上部開口１０５から缶体内部へ継続的に熱風を供給することができ、さらに供給された熱風が効率的に缶体内面に沿って底部へ到達する。したがって缶体１０４は、接触した熱風によって熱せられるので、効率的に乾燥される。特に缶体１０４が、アルミニウムで形成されている場合、熱伝達率が高いので、より効率的に乾燥される。
【００３９】
従来の乾燥装置１００の場合、吐出口の長手方向をコンベアネットの幅方向に平行となるように配置しているので、缶体に進入する熱風の流量の変化が大きく、缶体の上部開口が熱風に曝されるのが間欠的であるため、効率的とはいえない。吐出口のないエリアでは、基本的に自然対流による熱伝達のみで、いわゆる蒸し焼き状態である。実際のコンベアネット上の缶体は、格子状ではなく千鳥状に配列された稠密状態で搬送される。従って、格子状に配列された缶群よりも千鳥状に配列された缶群の方が流体抵抗として大きくなる。吐出口から吐出された熱風の流速は缶体の上部開口付近で急速に減速し、上記熱風は缶群のない部分に流れやすくなると考えられる。上記熱風を、缶体内面や、缶体と缶体の間に強制的に供給するには、缶体の転倒を抑止しながら流速を上げる必要があり、現実的ではない。缶体内面や、缶体と缶体の間に熱風が供給されないことによって、缶体を効率的に加熱することが難しく、缶体上部と下部の間の温度差が大きくなる。この結果、缶体は、内面の塗料の焼き付けムラや溶剤の残留、の抑制が十分でない状態となる。したがって従来は、搬送速度を落としたり、設備を長くしたりして、乾燥時間を長くしなければならなかった。
【００４０】
これに対し、本実施形態の場合、乾燥装置１の入り口で缶体１０４を格子状に配列することで、缶体１０４と缶体１０４の隙間を広げる。長手方向が搬送方向に平行に配置された吐出口１５から吐出された熱風は、缶体１０４と缶体１０４の隙間と、缶体１０４内とにそれぞれ流れ込む。缶体１０４と缶体１０４の隙間が広いので、上記隙間に熱風が流れ込みやすい。上記熱風によって、缶体１０４は外面からの強制対流熱伝達の効果が寄与される。
【００４１】
缶体１０４内に流れ込んだ熱風は、吐出口１５が缶体１０４の中心から幅方向（ｙ方向）にずれた位置に配置されていることにより、缶体１０４内においてコアンダ効果が生じやすい。上記熱風は、コアンダ効果によって、いわゆる壁面噴流となる。壁面噴流は、自由噴流よりも拡散が抑制されるので、流速が低下しにくく、噴流の中心速度は維持される。従って、缶体１０４内の壁面噴流は、缶底まで達し、缶上部へ吹き上げる流れを形成する。缶体１０４内面の塗料の焼き付けのプロセスでは、塗料の架橋反応と共に水や溶剤の蒸発・揮発を伴う。上記壁面噴流は、これらの溶媒が缶体１０４内で滞留することを抑制し、効率よく物質移動させる。缶底に達した壁面噴流は、溶媒を含んで缶上部へ吹き上がっていくので、この噴流を回収することで、物質移動をさらに促進することができる。
【００４２】
格子状に缶体１０４を配列することによって時間当たりの缶体１０４の搬送数量が従来に比べ減少する。しかしながら、本実施形態の乾燥装置１は、熱伝達率及び物質移動効率を向上させた分、コンベアネットの搬送速度を上げることによって、時間当たり搬送数量を減らすことなく処理することができる。以上より、本実施形態は、熱伝達率及び物質移動効率を向上することによって、缶体１０４の塗膜の品質を向上できると共に省エネルギー化を実現することができる。
【００４３】
上記実施形態の場合、流路および吐出口１５は、一方向から見た形状が長方形状である場合について説明したが、本発明はこれに限らない。図５に示すノズル本体１０Ｂは、ノズル２３が設けられている。ノズル２３は、ノズル壁１２，１４の先端側、図５の場合、先端２７，２８に互いのノズル壁１２，１４に向かって突出した複数の突起３１を有する。突起３１は、櫛歯状であって、吐出口２５の長手方向に沿って複数形成されている。図５に示す突起３１は、一方向から見た形状が四角形状である。突起３１同士の間は凹部３２が形成されている。凹部３２は、突起３１と同様、四角形状である。
【００４４】
上記のようなノズル２３を通過した熱風は、突起３１同士の間の凹部３２を通過することにより、一方向の軸を有する縦渦となることで、直進性が増す。本変形例に係る吐出口２５は、吐出口２５の長手方向が、搬送方向と平行に配置されているので、缶体１０４の上部開口１０５に熱風を継続的に供給できるため、缶体内部を効率的に乾燥することができる。
【００４５】
吐出口２５は、缶体１０４の中心から幅方向（ｙ方向）にずれた位置に配置されることにより、上記実施形態と同様の効果を得ることができる。また上記ノズル２３を備えた乾燥装置１は、当該ノズル２３が突起３１を有することにより、直進性が向上した熱風を吐出口２５から吐出することができるので、より効率的に缶体１０４内部を乾燥することができる。ノズル２３に突起３１を設け、強制的に縦渦を発生させることによって自由噴流の大規模渦列を抑制することができる。ノズル２３を通過した熱風は、突起のないノズルを通過した熱風に比べ、吐出口の流速が保たれる領域（速度ポテンシャルコア）を伸ばすことができ、レイノルズ数を大きくすることと等価の効果が得られる。上記突起３１は、四角形状である場合に限られず、三角形状でもよい。
【００４６】
図５の場合、ノズル壁１２に形成された突起３１と凹部３２は、ノズル壁１４に形成された突起３１と凹部３２と同じ位置に形成されているが、本発明はこれに限らない。例えば、ノズル壁１２に形成された突起３１と凹部３２は、ノズル壁１４に形成された突起３１と凹部３２と、吐出口１５の長手方向にずれていてもよく、ノズル壁１２に形成された突起３１に対応した位置にノズル壁１４に凹部３２が形成されていてもよい。
【００４７】
図５の場合、ノズル壁１２，１４の先端２７，２８に複数の突起３１を有する場合について説明したが、本発明はこれに限らない。突起３１は、圧力損失による熱風の直進性が著しく低下しない程度の範囲内で、吐出口２５の入口方向へずれた位置に形成してもよい。
【００４８】
上記実施形態の場合、乾燥装置１は、コンベアネット１０２の上流側に、缶体１０４を搬送方向に一列に整列させる整列機構（図示しない）を有する場合について説明したが、本発明はこれに限らない。整列機構は、乾燥装置１とは別に、乾燥装置１の上流側に設けることとしてもよい。
【実施例１】
【００４９】
実際に上記実施形態に係る吐出口の配置の有効性を検証した結果を以下に説明する。まず図６に示す実験装置１２４を用意した。当該実験装置１２４は、上部の吹出ノズル１１８、パンチングプレート１２０、ノズル本体１０Ａを介して、気体が缶体１０４に吐出される。気体は、レイノルズ数を２０００、吐出口１５における流速を６ｍ／ｓとした。缶体１０４は、リニアガイド３４によって、吐出口１５の長手方向に直交する方向に移動可能に保持されている。缶体１０４の移動速度は、２．４０ｃｍ／ｓとした。
【００５０】
粒子イメージ流速計測法(Particle Image Velocimetry)により、吐出された気体の流れを撮影した。具体的には、ＣＣＤカメラ３６を用いて、ノズル１１から吐出された気体の流れを撮影した。トレーサーとしてオイルミスト（平均粒径１μｍ、比重ｓ≒１．０５）を用いた。光源３８は、Ｎｄ：ＹＡＧレーザ（最大出力２００ｍＪ）であり、図６の位置よりレーザーシートを照射した。
【００５１】
缶体１０４（図７）は、透明樹脂で形成した、直径６６ｍｍ、高さ１２３ｍｍの上部開口を有する有底筒状体を用いた。ノズル１１は、一方向の長さを３０ｍｍ、吐出口１５の幅方向長さを５ｍｍ、缶体を載せた台と天板１３までの距離を１９０ｍｍとした。ＣＣＤカメラ３６を用いてノズル１１から吐出された気体の流れを撮影した結果を図８に示す。図９は、図８の各図に対応した缶体１０４と吐出口１５の位置を示す平面図である。
【００５２】
各画像の右下には、缶体１０４の左側胴部と、吐出口が一致した時点からの経過時間を示す。図８Ａ、８Ｄに示すように、缶体胴部の近傍では、吐出口１５から吐出された気体は、一方向へ直進し、コアンダ効果により缶体胴部内面に沿って、缶体内部に進入している。
【００５３】
図８Ｂ、８Ｃに示すように、吐出口１５が、缶体１０４の中心からの距離Ｄが９ｍｍ（図８Ｂ）、及び７．８ｍｍ（図８Ｃ）の位置では、吐出口１５から吐出された気体は、コアンダ効果により缶体胴部へ向かいながら、缶体内部へ入りこんでいることが確認された。また、図９Ｂ，９Ｃに示すように、吐出口１５と上部開口１０５の重なりが大きく、吐出口１５から吐出された気体のほとんどを缶体内部へ送り込むことができるので、効率的といえる。
【００５４】
上記の結果から、吐出口１５が、少なくとも（ｒ／３）≦Ｄの位置では、吐出口１５から吐出された気体は、缶体胴部へ向かいながら、上部開口１０５から缶体内部へ入りこむ。吐出口１５から吐出された熱風を効率的に缶体内部へ送り込むには、吐出口１５と上部開口の重なりを相当程度大きくする必要があるため、Ｄ≦（２ｒ／３）であるのが好ましいといえる。
【実施例２】
【００５５】
実際に上記実施形態に係る吐出口の配置と、缶体の加熱温度との関係を検証した結果を以下に説明する。噴流源としてヒートガン（（株）石崎電機製作所製  ＳＵＲＥプラジェットＰＪ−２１４Ａ）を用いた。高さ１３５ｍｍ、内径約５０ｍｍの缶体に対し、缶体の上端から約２０ｍｍの上方の位置にノズルを配置した。ノズルは開口幅３ｍｍ、長さ約５０ｍｍの吐出口を有する平面ノズルを用いた。当該ノズルから、風速約１５ｍ／ｓ、温度約３００℃、レイノズル数約１４００の熱風を吐出した。缶体の中心から吐出口の中心までの距離Ｄを変えながら、缶体の底面から８ｍｍの位置（ボトム）、底面から６８ｍｍの位置（ミドル）、底面から１２７ｍｍの位置（トップ）の温度を測定した。温度は、缶体を中心軸方向から見てａ，ｂ，ｃの各地点で測定した。地点ａは、缶体の中心を通りノズルの長手方向に直交する直線と缶体の胴部の一方の交点である。地点ｃは、缶体の中心を挟んで地点ａに対向する缶体胴部の他方の交点である。地点ｂは、缶体の中心を通りノズルの長手方向に平行な直線と缶体の胴部の一方の交点である。
【００５６】
図１０は距離Ｄが０の位置（缶体の中心位置）に吐出口を配置した場合の結果を示す。グラフは、横軸が時間（ｓ）、縦軸が温度（℃）、曲線がそれぞれボトム、ミドル、トップにおける測定温度の変化を示す。地点ａ（＝ｃ），地点ｂのいずれにおいても、ボトムの温度が最も低く、特に地点ａにおけるトップとボトムの熱風の吐出開始から１２０秒後の温度差は、４０．３℃であることが確認された。図１２は、熱風の吐出開始から４０秒後の温度と速度のコンター図を示す。距離Ｄ（ノズル位置）が０の場合における温度コンター図では、缶体のトップが最も温度が高く、次いでミドルが高く、ボトムが最も温度が低いことが示されている。速度コンター図に認められるように、ノズルから吐出された熱風の速度は、缶体のミドルで急速に低下していることが分かる。この結果は、図１０の結果と整合しており、吐出口が缶体の中心位置にあるとき、吐出口から吐出された熱風は、缶体の底部まで到達していないため、ボトムとトップの温度差が大きくなると考えられる。
【００５７】
図１１は距離Ｄが４ｒ／５（＝０．８ｒ）の位置に吐出口を配置した場合の結果を示す。各グラフは、横軸が時間（ｓ）、縦軸が温度（℃）、曲線がそれぞれボトム、ミドル、トップにおける測定温度の変化を示す。吐出口が最も近い地点ａにおいては、トップの温度が最も高いが、地点ｂでは熱風の吐出開始から１２０秒後の温度差が３．５℃と小さく、吐出口から最も離れた地点ｃではミドル及びボトムがトップの温度より高温であった。図１２の温度コンター図から明らかなように、距離Ｄが４ｒ／５の場合、トップ、ボトム、ミドルの全体にわたって温度が高いことが示されている。速度コンター図に認められるように、吐出口から吐出された熱風は、缶体胴部内面に沿って、缶体内部に進入し、底部で折り返して、反対側の缶体胴部内面に沿って上昇していることが分かる。この結果は、図１１の結果と整合しており、吐出口を缶体の中心よりずれた位置に配置することによって、吐出口から吐出された熱風を缶体の底部まで到達させることができ、ボトムとトップの温度差が小さくなると考えられる。
【００５８】
図１３に、缶体の中心から缶体までの距離Ｄと、各地点におけるボトム、ミドル、トップの温度差との関係を示す。図１３から、吐出口を缶体の中心に配置した場合（距離Ｄ＝０）、温度差が最も大きいことが確認された。温度差は、吐出口が缶体の中心からずれていくにしたがって小さくなり、距離Ｄが４ｒ／５（＝０．８ｒ）のとき最も小さくなることが示された。
【符号の説明】
【００５９】
１      乾燥装置
１０Ａ，１０Ｂ  ノズル本体
１１    ノズル
１２，１４      ノズル壁
１５    吐出口
２１    吸引口
２３    ノズル
２５    吐出口
３１    突起
１００  乾燥装置
【図１】
2019194518.tif 000003
【図２】
2019194518.tif 000004
【図３】
2019194518.tif 000005
【図４】
2019194518.tif 000006
【図５】
2019194518.tif 000007
【図６】
2019194518.tif 000008
【図７】
2019194518.tif 000009
【図８】
2019194518.tif 000010
【図９】
2019194518.tif 000011
【図１０】
2019194518.tif 000012
【図１１】
2019194518.tif 000013
【図１２】
2019194518.tif 000014
【図１３】
2019194518.tif 000015
【図１４】
2019194518.tif 000016